(57)【要約】  本発明の携帯電話システムは、携帯電話端末（１０）と、無線基地局装置（２０）と、携帯電話網（３０）と、基地局用情報端末（４０）とを有する。基地局用情報端末（４０）は、無線基地局装置（２０）がカバーする特定のエリアに固有のサービス情報を、無線基地局装置（２０）に対して送信する。無線基地局装置（２０）は、自己のカバーする特定のエリアに位置する全ての携帯電話端末（１０）に対し、基地局用情報端末（４０）から受信したサービス情報を、無線共通チャネルを用いて配信する。
2007116570.tif 000002
【特許請求の範囲】
【請求項１】
無線基地局装置と、前記無線基地局装置がカバーする特定のエリアにて無線通信を行う携帯電話端末とを有してなる携帯電話システムにおいて、
前記無線基地局装置に接続され、前記無線基地局装置がカバーする特定のエリアに固有のサービス情報を、前記無線基地局装置に対して送信する情報端末をさらに有し、
前記無線基地局装置は、前記情報端末から前記サービス情報を受信すると、自己がカバーする特定のエリアに位置する全ての携帯電話端末に対し、前記サービス情報を無線で配信することを特徴とする携帯電話システム。
【請求項２】
前記無線基地局装置は、無線共通チャネルを用いて前記サービス情報を配信することを特徴とする、請求の範囲１に記載の携帯電話システム。
【請求項３】
無線基地局装置がカバーする特定のエリアに固有のサービス情報を外部から受信する手段と、
前記サービス情報を受信すると、前記無線基地局装置がカバーする特定のエリアに位置する全ての携帯電話端末に対し、前記サービス情報を無線で配信する無線通信手段とを有することを特徴とする無線基地局装置。
【請求項４】
前記無線通信手段は、無線共通チャネルを用いて前記サービス情報を配信することを特徴とする、請求の範囲３に記載の無線基地局装置。
【請求項５】
無線基地局装置がカバーする特定のエリアに固有のサービス情報を記憶する記憶手段と、
前記サービス情報と当該サービス情報の携帯電話端末への配信要求とを前記無線基地局装置に対して送信する手段とを有することを特徴とする情報端末。
【請求項６】
無線基地局装置がカバーする特定のエリアにて無線通信を行う携帯電話端末に対し、サービス情報を提供するサービス情報提供方法であって、
前記無線基地局装置に接続された情報端末が、前記無線基地局装置がカバーする特定のエリアに固有のサービス情報を、前記無線基地局装置に対して送信する送信ステップと、
前記無線基地局装置が、前記情報端末から前記サービス情報を受信すると、自己がカバーする特定のエリアに位置する全ての携帯電話端末に対し、前記サービス情報を無線で配信する配信ステップとを有することを特徴とするサービス情報提供方法。
【請求項７】
前記配信ステップでは、無線共通チャネルを用いて前記サービス情報を配信することを特徴とする、請求の範囲６に記載のサービス情報提供方法。
【発明の詳細な説明】
【技術分野】
【０００１】
本発明は、携帯電話システム、無線基地局装置、情報端末、サービス情報提供方法に関する。
【背景技術】
【０００２】
近年、携帯電話システムにおいては、エリアカバー率が飽和状態にあり、室内や地下等を除いて大部分のエリアをカバーできつつある。そこで、最近は、今までカバーしていなかった室内や地下等に、小型の無線基地局装置を設置することが増えている。【０００３】
小型の無線基地局装置は、室内や地下等における小さな特定のエリアのみをカバーする特性を持つ。具体的には、小型の無線基地局装置は、ビルの１フロアや地下の一角等をカバーする特性を持つ。【０００４】
そのため、小型の無線基地局装置がカバーする特定のエリアにて無線通信を行っているユーザについては、その特定のエリア内のどこかの場所にいることが特定できる。したがって、特定のエリアにいるユーザに対し、その特定のエリアに固有のサービス情報を提供できれば、より利便性・収益性の高いサービスを提供することが可能になる。【０００５】
しかしながら、従来の無線基地局装置は、無線回線の物理チャネルを終端し、携帯電話端末から無線回線を介して受信した受信信号を有線回線に乗せ替えて上位の携帯電話網に送信したり、上位の携帯電話網から有線回線を介して受信した受信信号を無線回線に乗せ替えて携帯電話端末に送信したりすることのみを行っていた（特許文献１参照）。【０００６】
つまり、従来の無線基地局装置は、携帯電話端末と携帯電話網間でやり取りされる信号を単に転送することのみを行っていたため、自己がカバーする特定のエリアに固有のサービス情報を、その特定のエリアにいるユーザに対して配信することができなかった。
【特許文献１】特開２００５−２９４８７９号公報
【発明の開示】
【０００７】
そこで、本発明の目的は、無線基地局装置がカバーする特定のエリアに固有のサービス情報を、その特定のエリアにいるユーザに対して配信することができる携帯電話システム、無線基地局装置、情報端末、サービス情報提供方法を提供することにある。
【０００８】
上記目的を達成するために本発明は、
無線基地局装置と、前記無線基地局装置がカバーする特定のエリアにて無線通信を行う携帯電話端末とを有してなる携帯電話システムにおいて、
前記無線基地局装置に接続され、前記無線基地局装置がカバーする特定のエリアに固有のサービス情報を、前記無線基地局装置に対して送信する情報端末をさらに有し、
前記無線基地局装置は、前記情報端末から前記サービス情報を受信すると、自己がカバーする特定のエリアに位置する全ての携帯電話端末に対し、前記サービス情報を無線で配信することを特徴とする。
【０００９】
この構成によれば、無線基地局装置がカバーする特定のエリアに固有のサービス情報を無線基地局装置に対して送信する情報端末を設け、無線基地局装置が、自己のカバーする特定のエリアに位置する全ての携帯電話端末に対し、情報端末から受信したサービス情報を配信している。
【００１０】
そのため、情報端末から無線基地局装置経由で、無線基地局装置がカバーする特定のエリアに位置する全ての携帯電話端末に対し、無線基地局装置がカバーする特定のエリアに固有のサービス情報を配信することが可能になる。
【００１１】
また、前記無線基地局装置は、無線共通チャネルを用いて前記サービス情報を配信することとしても良い。
【００１２】
この構成によれば、各携帯電話端末に個別に割り当てられた個別チャネルを用いて、各携帯電話端末に個別にサービス情報を配信する場合と比較して、サービス情報の配信処理に要する負荷が軽減される。
【図面の簡単な説明】
【００１３】
【図１】本発明の一実施形態の携帯電話システムの概念を説明する図である。
【図２】図１に示した携帯電話システムの詳細構成を示すブロック図である。
【図３】図１に示した携帯電話システムの動作の一例を説明するフローチャートである。
【図４】図１に示した携帯電話システムの動作の他の例を説明するフローチャートである。
【図５】図１に示した携帯電話システムの動作のさらに他の例を説明するフローチャートである。
【発明を実施するための最良の形態】
【００１４】
以下に、本発明を実施するための最良の形態について図面を参照して説明する。なお、以下で説明する全ての図面において、同様な構成要素には同様の符号を付し、適宜説明を省略する。【００１５】
図１は、本発明の一実施形態の携帯電話システムの概念を説明する図である。【００１６】
図１を参照すると、本実施形態の携帯電話システムは、携帯電話端末１０と、無線基地局装置２０と、無線制御装置３１および携帯電話コアネットワーク３２等を含む携帯電話網３０と、基地局用情報端末４０とを有している。なお、図１においては、携帯電話端末１０を１つだけ図示しているが、携帯電話端末１０の数は１以上であれば特に制限はない。【００１７】
携帯電話端末１０は、無線基地局装置２０がカバーする特定のエリアにおいて、無線基地局装置２０との間で無線通信を行う。【００１８】
さらに、携帯電話端末１０は、無線基地局装置２０がカバーする特定のエリアにおいて、無線基地局装置２０経由で携帯電話網３０との間で、携帯電話網３０が提供するデータ通信サービスや音声通信サービスを受けて、データ通信や音声通信を行う。【００１９】
なお、携帯電話端末１０と無線基地局装置２０および携帯電話網３０との間で行われる上記の動作は、従来の動作であるため、詳細な説明を省略する。【００２０】
本実施形態においては、無線基地局装置２０に基地局用情報端末４０を新たに接続し、基地局用情報端末４０から無線基地局装置２０経由で携帯電話端末１０に対し、無線基地局装置２０がカバーする特定のエリアに固有のサービス情報を配信する点に特徴がある。【００２１】
詳細には、基地局用情報端末４０は、無線基地局装置２０がカバーする特定のエリアに固有のサービス情報とそのサービス情報の携帯電話端末１０への配信要求とを、無線基地局装置２０に対して送信する。ここで、特定のエリアに固有のサービス情報とは、その特定のエリアにあるカフェ、レストラン、オフィス等の情報、その特定のエリアが地下鉄の駅構内であれば、駅の時刻表等の情報である。なお、サービス情報は例示した情報に限らず、その特定のエリアと関連性のある情報であれば良い。【００２２】
無線基地局装置２０は、基地局用情報端末４０からサービス情報とそのサービス情報の配信要求とを受信すると、無線基地局装置２０がカバーする特定のエリアに位置する全ての携帯電話端末１０に対し、基地局用情報端末４０から受信したサービス情報を無線物理チャネルを用いて無線で配信する。このとき、無線基地局装置２０は、全ての携帯電話端末１０がサービス情報を受信できるように、無線共通チャネルを用いる。無線共通チャネルは、既存のものの一部を使用しても良いし、新たに追加しても良い。【００２３】
なお、基地局用情報端末４０は、サービス情報を定期的に無線基地局装置２０に対して送信し、無線基地局装置２０は、サービス情報を定期的に携帯電話端末１０に対して送信しても良い。または、基地局用情報端末４０は、サービス情報が更新された場合に限り、その更新されたサービス情報を無線基地局装置２０に対して送信し、無線基地局装置２０は、基地局用情報端末４０からサービス情報を受信した場合に限り、その受信されたサービス情報を携帯電話端末１０に対して送信しても良い。【００２４】
携帯電話端末１０は、無線基地局装置２０からサービス情報を受信すると、そのサービス情報をディスプレイ等の表示部に表示する。なお、携帯電話端末１０は、サービス情報が受信された時点でそのサービス情報を強制的に表示することもできるし、サービス情報の表示の前にユーザに表示の可否を決定させることもできる。【００２５】
図２は、図１に示した携帯電話システムの詳細構成を示すブロック図である。【００２６】
図２を参照すると、携帯電話端末１０は、アンテナ１１と、無線通信部１２と、信号処理部１３と、記憶部１４と、表示部１５と、入力部１６と、制御部１７とを有している。【００２７】
無線通信部１２は、無線基地局装置２０との無線インタフェース部分に配置され、アンテナ１１を用いて無線基地局装置２０との間で無線通信を行う。【００２８】
信号処理部１３は、無線送信信号の拡散変調、符号化等や、無線受信信号の逆拡散復調、復号化等の各種信号処理を行う。【００２９】
記憶部１４は、無線基地局装置２０から無線受信信号として受信した、無線基地局装置２０に固有のサービス情報等の各種情報を記憶するメモリである。【００３０】
表示部１５は、無線基地局装置２０から受信したサービス情報等の各種情報を表示するディスプレイである。【００３１】
入力部１６は、ユーザからの各種の指示が入力されるキーである。【００３２】
制御部１７は、携帯電話端末１０内の上記の構成要素の制御を行う。【００３３】
また、無線基地局装置２０は、アンテナ２１と、無線通信部２２と、第１通信部２３と、第２通信部２４と、信号処理部２５と、記憶部２６と、制御部２７とを有している。【００３４】
無線通信部２２は、携帯電話端末１０との無線インタフェース部分に配置され、アンテナ２１を用いて携帯電話端末１０との間で無線通信を行う。【００３５】
第１通信部２３は、携帯電話網３０とのインタフェース部分に配置され、携帯電話網３０と携帯電話端末１０との間で通信されるデータや音声を送受信する。【００３６】
第２通信部２４は、基地局用情報端末４０とのインタフェース部分に配置され、基地局用情報端末４０から無線受信信号として無線基地局装置２０に固有のサービス情報を受信する。【００３７】
信号処理部２５は、無線送信信号の拡散変調、符号化等、無線受信信号の逆拡散復調、復号化等の各種信号処理を行う。【００３８】
記憶部２６は、基地局用情報端末４０から受信したサービス情報等の各種情報を記憶するメモリである。【００３９】
制御部２７は、無線基地局装置２０内の上記の構成要素の制御を行う。【００４０】
また、基地局用情報端末４０は、通信部４１と、信号処理部４２と、記憶部４３と、制御部４４とを有している。【００４１】
通信部４１は、無線基地局装置２０とのインタフェース部分に配置され、無線基地局装置２０に対し、無線基地局装置２０に固有のサービス情報を送信する。【００４２】
信号処理部４２は、無線基地局装置２０へ送信するサービス情報等の各種情報の符号化等の各種信号処理を行う。【００４３】
記憶部４３は、無線基地局装置２０へ送信するサービス情報等の各種情報を記憶するメモリである。【００４４】
制御部４４は、基地局用情報端末４０内の上記の構成要素の制御を行う。【００４５】
以下、図１に示した本実施形態の携帯電話システムの動作について説明する。【００４６】
図３は、図１に示した携帯電話システムの動作の一例を説明するフローチャートである。【００４７】
図３を参照すると、まず、基地局用情報端末４０では、ステップ３０１において、通信部４１が、無線基地局装置２０がカバーする特定のエリアに固有のサービス情報とそのサービス情報の携帯電話端末１０への配信要求とを、無線基地局装置２０に対して送信する。【００４８】
無線基地局装置２０では、基地局用情報端末４０からのサービス情報と配信要求とが第２通信部２４に受信されると、ステップ３０２において、無線通信部２２が、無線基地局装置２０がカバーする特定のエリアに位置する全ての携帯電話端末１０に対し、無線共通チャネルを用いてサービス情報を配信する。【００４９】
携帯電話端末１０では、無線基地局装置２０からのサービス情報が無線通信部１２に受信されると、ステップ３０３において、信号処理部１３が、サービス情報の復号化等の信号処理を行い、表示部１３が、信号処理部１３で信号処理されたサービス情報を表示する。【００５０】
図４は、図１に示した携帯電話システムの動作の他の例を説明するフローチャートである。【００５１】
図４を参照すると、まず、基地局用情報端末４０では、ステップ４０１において、通信部４１が、図３と同様のサービス情報と配信要求の他、そのサービス情報のさらに詳細な詳細情報の提供元の装置のアドレス情報を、無線基地局装置２０に対して送信する。図４では、詳細情報の提供元の装置が、携帯電話網３０上にあるものとする。【００５２】
無線基地局装置２０では、基地局用情報端末４０からのサービス情報と配信要求とアドレス情報とが第２通信部２４に受信されると、ステップ４０２において、無線通信部２２が、無線基地局装置２０がカバーする特定のエリアに位置する全ての携帯電話端末１０に対し、無線共通チャネルを用いてサービス情報とアドレス情報とを配信する。【００５３】
携帯電話端末１０では、無線基地局装置２０からのサービス情報とアドレス情報とが無線通信部１２に受信されると、ステップ４０３において、信号処理部１３が、サービス情報の復号化等の信号処理を行い、表示部１３が、信号処理されたサービス情報を表示する。【００５４】
さらに、携帯電話端末１０では、ステップ４０４において、信号処理部１３が、アドレス情報の復号化等の信号処理を行い、表示部１３が、信号処理部１３で信号処理されたアドレス情報を表示する。ここで、ユーザに入力部１６を介してアドレスの表示部分がクリックされると、ステップ４０５において、無線通信部１２が、アドレス情報を元にして、無線基地局装置２０経由で、携帯電話網３０上の詳細情報の提供元の装置にアクセスする。【００５５】
これを受けて、携帯電話網３０上の詳細情報の提供元の装置は、ステップ４０６において、無線基地局装置２０経由で携帯電話端末１０に対し、詳細情報を送信する。【００５６】
なお、ステップ４０５，４０６の処理は、携帯電話端末１０からの従来のネットワークアクセスプロセスを用いて実現することができる。【００５７】
図５は、図１に示した携帯電話システムの動作のさらに他の例を説明するフローチャートである。【００５８】
図５を参照すると、まず、基地局用情報端末４０では、ステップ５０１において、通信部４１が、図３と同様のサービス情報と配信要求の他、そのサービス情報のさらに詳細な詳細情報の提供元の装置のアドレス情報を、無線基地局装置２０に対して送信する。図５では、詳細情報の提供元の装置が基地局用情報端末４０自身であり、詳細情報が基地局用情報端末４０の記憶部４３に記憶されているものとする。【００５９】
無線基地局装置２０では、基地局用情報端末４０からのサービス情報と配信要求とアドレス情報とが第２通信部２４に受信されると、ステップ５０２において、無線通信部２２が、無線基地局装置２０がカバーする特定のエリアに位置する全ての携帯電話端末１０に対し、無線共通チャネルを用いてサービス情報とアドレス情報とを配信する。【００６０】
携帯電話端末１０では、無線基地局装置２０からのサービス情報とアドレス情報とが無線通信部１２に受信されると、ステップ５０３において、信号処理部１３が、サービス情報の復号化等の信号処理を行い、表示部１３が、信号処理されたサービス情報を表示する。【００６１】
さらに、携帯電話端末１０では、ステップ５０４において、信号処理部１３が、アドレス情報の復号化等の信号処理を行い、表示部１３が、信号処理部１３で信号処理されたアドレス情報を表示する。ここで、ユーザに入力部１６を介してアドレスの表示部分がクリックされると、ステップ５０５において、無線通信部１２が、アドレス情報を元にして、無線基地局装置２０経由で、詳細情報の提供元の基地局用情報端末４０にアクセスする。【００６２】
これを受けて、基地局用情報端末４０では、ステップ５０６において、通信部４１が、無線基地局装置２０経由で携帯電話端末１０に対し、記憶部４３に記憶されている詳細情報を送信する。【００６３】
なお、ステップ５０５，５０６の処理は、携帯電話端末１０からの従来のネットワークアクセスプロセスを用いて実現することができる。【００６４】
上述したように本実施形態においては、基地局用情報端末４０が、無線基地局装置２０がカバーする特定のエリアに固有のサービス情報を無線基地局装置２０に対して送信し、無線基地局装置２０が、自己のカバーする特定のエリアに位置する全ての携帯電話端末１０に対し、基地局用情報端末４０から受信したサービス情報を配信している。【００６５】
そのため、基地局用情報端末４０から無線基地局装置２０経由で、無線基地局装置２０がカバーする特定のエリアに位置する全ての携帯電話端末１０に対し、無線基地局装置２０がカバーする特定のエリアに固有のサービス情報を配信することができる。【００６６】
よって、基地局用情報端末４０を用いてサービス情報を提供するサービス情報提供者、本携帯電話システムのシステム管理者、特定のエリアでサービス情報の提供を受けるユーザにとっては、それぞれ次のような利点がある。
（１）サービス情報提供者の利点
サービス情報提供者にとっては、特定のエリアにいるユーザに対し、効果的な宣伝活動、サービスの提供が可能になるという利点がある。また、サービス情報を基地局用情報端末４０上で編集できる場合、さらにタイムリーなサービス情報の発信、サービスの提供が可能となるという利点がある。
（２）システム管理者の利点
システム管理者とっては、基地局用情報端末４０をサービス情報提供者に貸し出すことにより新たな収入源が確保できるという利点がある。また、ユーザのデータ通信量が増える可能性があり、売り上げ増加につながる可能性があるという利点がある。また、本携帯電話システムを利用するユーザの数が増える可能性があるという利点がある。
（３）ユーザへの利点
特定のエリアにいるユーザにとっては、興味のあるサービス情報を効率的・効果的に取得できる可能性があるという利点がある。
【図１】
2007116570.tif 000003
【図２】
2007116570.tif 000004
【図３】
2007116570.tif 000005
【図４】
2007116570.tif 000006
【図５】
2007116570.tif 000007
【国際調査報告】
2007116570.tif 000008
2007116570.tif 000009